(57)【要約】  【課題】購入者がサニテーション処理の実施状況を把握でき、購入者の希望でサニテーション処理を実施させ、購入者に清潔感を与えることができる自動販売機を提供する。  【解決手段】販売機本体の前面に設けたサニテーション履歴表示部18で、過去複数回分のサニテーション処理を実施した日時を表示する。購入者はサニテーション処理の実施状況および実施間隔を把握できる。また、販売機本体の前面に設けたサニテーション指令手段19で、購入者の希望でサニテーション処理の実施を指令できる。サニテーション処理の実施によって商品購入直前に衛生確保できるとともに購入者に清潔感を与えられる。  【選択図】図１
2006018342.tif 000002
【特許請求の範囲】
【請求項１】
販売機本体と、
この販売機本体内でサニテーション処理を実施するサニテーション手段と、
このサニテーション手段によってサニテーション処理を実施した日時を記憶する記憶部と、
前記販売機本体の前面に設けられ、前記記憶部に記憶されたサニテーション処理を実施した日時を表示するサニテーション履歴表示部と
を具備していることを特徴とする自動販売機。
【請求項２】
販売機本体と、
この販売機本体内でサニテーション処理を実施するサニテーション手段と、
前記販売機本体の前面に設けられ、サニテーション処理の実施を指令するサニテーション指令手段と
を具備していることを特徴とする自動販売機。
【請求項３】
販売機本体と、
この販売機本体内でサニテーション処理を実施するサニテーション手段と、
このサニテーション手段によってサニテーション処理を実施した日時を記憶する記憶部と、
前記販売機本体の前面に設けられ、前記記憶部に記憶されたサニテーション処理を実施した日時を表示するサニテーション履歴表示部と、
前記販売機本体の前面に設けられ、サニテーション処理の実施を指令するサニテーション指令手段と
を具備していることを特徴とする自動販売機。
【請求項４】
サニテーション履歴表示部は、過去複数回分のサニテーション処理を実施した日時を表示する
ことを特徴とする請求項１または３記載の自動販売機。
【請求項５】
販売機本体に投入される貨幣を受け入れて処理する貨幣処理部と、
この貨幣処理部が貨幣を受け付けるまではサニテーション指令手段による指令を無効とし、前記貨幣処理部が貨幣を受け付けることによりサニテーション指令手段による指令を有効とし、このサニテーション指令手段による指令によりサニテーション手段でサニテーション処理を実施させる制御部とを具備している
ことを特徴とする請求項２または３記載の自動販売機。
【請求項６】
販売機本体に投入される貨幣を受け入れて処理する貨幣処理部と、
商品を選択する商品選択部と、
前記貨幣処理部が貨幣を受け付けて前記商品選択部で商品が選択されるまではサニテーション指令手段による指令を無効とし、前記貨幣処理部が貨幣を受け付けて前記商品選択部で商品が選択されることによりサニテーション指令手段による指令を有効とし、このサニテーション指令手段による指令によりサニテーション手段でサニテーション処理を実施させる制御部とを具備している
ことを特徴とする請求項２または３記載の自動販売機。
【請求項７】
販売機本体に投入される貨幣を受け入れて処理するとともに投入貨幣の返却を可能とする貨幣処理部と、
投入貨幣の返却を指令する返却指令手段と、
前記貨幣処理部が貨幣を受け付けるまではサニテーション指令手段による指令を無効とし、前記貨幣処理部が貨幣を受け付けることによりサニテーション指令手段による指令を有効とし、このサニテーション指令手段による指令によりサニテーション手段でサニテーション処理を実施させるとともに前記返却指令手段による投入貨幣の返却指令を無効とする制御部とを具備している
ことを特徴とする請求項２または３記載の自動販売機。
【請求項８】
カップ内に飲料を調合して提供する飲料調合手段を具備し、
制御部は、サニテーション指令手段による指令に応じて前記飲料調合手段による調合開始前にサニテーション手段でサニテーション処理を実施させる
ことを特徴とする請求項５ないし７いずれか記載の自動販売機。
【発明の詳細な説明】
【技術分野】
【０００１】
本発明は、サニテーション処理を実施する自動販売機に関する。
【背景技術】
【０００２】
従来、例えば、調合した飲料をカップ内に入れたカップ入り飲料を販売するカップ式飲料自動販売機では、カップ内の飲料を攪拌する攪拌具、飲料の調合用として用いる場合のミキシングボール、飲料を調合するカップステーションなどのサニテーション対象に、湯などを流して洗浄したり、アルコールなどを噴霧するなどのサニテーション処理が実施されている。
【０００３】
このサニテーション処理は、自動販売機に予め設定された動作時間や動作回数などに応じて定期的に実施する場合、自動販売機の扉を開けて係員が手動でボタンを押すことによって実施する場合（例えば、特許文献１参照。）、自動販売機の扉を開けた際に自動的に実施する場合などがあった。
【０００４】
また、缶飲料を販売する自動販売機では、商品取出口に缶飲料を払い出したときや缶飲料を払い出すための搬送途中に、その缶飲料自体に紫外線を照射したりアルコールを噴霧するサニテーション処理を実施している（例えば、特許文献２参照。）。
【特許文献１】実開平７−２５４７５号公報
【特許文献２】特開平１０−２０８１２５号公報
【発明の開示】
【発明が解決しようとする課題】
【０００５】
しかしながら、従来の自動販売機では、購入者にとってサニテーション処理を実施しているのかどうかやいつ実施したのかが分からず、また、購入者の希望でサニテーション処理を実施させることはできなかった。
【０００６】
特に、カップ式飲料自動販売機では、調合した飲料をカップ内に入れて販売するため、購入者にとってサニテーション処理を実施しているのかどうかやいつ実施したかが気になりやすいが、サニテーション処理の実施状況は分からず、購入時に購入者の希望でサニテーション処理を実施させることもできなかった。
【０００７】
本発明は、このような点に鑑みなされたもので、購入者がサニテーション処理の実施状況を把握できるようにすることにより、または購入者の希望でサニテーション処理を実施できるようにすることにより、購入者に清潔感を与えることができる自動販売機を提供することを目的とする。
【課題を解決するための手段】
【０００８】
請求項１記載の自動販売機は、販売機本体と、この販売機本体内でサニテーション処理を実施するサニテーション手段と、このサニテーション手段によってサニテーション処理を実施した日時を記憶する記憶部と、前記販売機本体の前面に設けられ、前記記憶部に記憶されたサニテーション処理を実施した日時を表示するサニテーション履歴表示部とを具備しているものである。
【０００９】
そして、販売機本体の前面に設けたサニテーション履歴表示部で、サニテーション処理を実施した日時を表示するので、購入者はサニテーション処理の実施状況の把握が可能となり、購入者に清潔感が与えられる。
【００１０】
請求項２記載の自動販売機は、販売機本体と、この販売機本体内でサニテーション処理を実施するサニテーション手段と、前記販売機本体の前面に設けられ、サニテーション処理の実施を指令するサニテーション指令手段とを具備しているものである。
【００１１】
そして、販売機本体の前面に設けたサニテーション指令手段で、購入者の希望でサニテーション処理の実施を指令することができるので、サニテーション処理の実施によって商品購入直前に衛生が確保されるとともに購入者に清潔感が与えられる。
【００１２】
請求項３記載の自動販売機は、販売機本体と、この販売機本体内でサニテーション処理を実施するサニテーション手段と、このサニテーション手段によってサニテーション処理を実施した日時を記憶する記憶部と、前記販売機本体の前面に設けられ、前記記憶部に記憶されたサニテーション処理を実施した日時を表示するサニテーション履歴表示部と、前記販売機本体の前面に設けられ、サニテーション処理の実施を指令するサニテーション指令手段とを具備しているものである。
【００１３】
そして、販売機本体の前面に設けたサニテーション履歴表示部で、サニテーション処理を実施した日時を表示するので、購入者はサニテーション処理の実施状況の把握が可能となり、購入者に清潔感が与えられる。また、販売機本体の前面に設けたサニテーション指令手段で、購入者の希望でサニテーション処理の実施を指令することができるので、サニテーション処理の実施によって商品購入直前に衛生が確保されるとともに購入者に清潔感が与えられる。
【００１４】
請求項４記載の自動販売機は、請求項１または３記載の自動販売機において、サニテーション履歴表示部は、過去複数回分のサニテーション処理を実施した日時を表示するものである。
【００１５】
そして、サニテーション履歴表示部で、過去複数回分のサニテーション処理を実施した日時を表示するので、購入者はサニテーション処理の実施間隔などの把握も可能となる。
【００１６】
請求項５記載の自動販売機は、請求項２または３記載の自動販売機において、販売機本体に投入される貨幣を受け入れて処理する貨幣処理部と、この貨幣処理部が貨幣を受け付けるまではサニテーション指令手段による指令を無効とし、前記貨幣処理部が貨幣を受け付けることによりサニテーション指令手段による指令を有効とし、このサニテーション指令手段による指令によりサニテーション手段でサニテーション処理を実施させる制御部とを具備しているものである。
【００１７】
そして、貨幣処理部が貨幣を受け付けるまではサニテーション指令手段による指令を無効とし、貨幣処理部が貨幣を受け付けることによりサニテーション指令手段による指令を有効とするので、購入者によってのみサニテーション処理を実施させることが可能で、いたずらによるサニテーション処理の実施が防止される。
【００１８】
請求項６記載の自動販売機は、請求項２または３記載の自動販売機において、販売機本体に投入される貨幣を受け入れて処理する貨幣処理部と、商品を選択する商品選択部と、前記貨幣処理部が貨幣を受け付けて前記商品選択部で商品が選択されるまではサニテーション指令手段による指令を無効とし、前記貨幣処理部が貨幣を受け付けて前記商品選択部で商品が選択されることによりサニテーション指令手段による指令を有効とし、このサニテーション指令手段による指令によりサニテーション手段でサニテーション処理を実施させる制御部とを具備しているものである。
【００１９】
そして、貨幣処理部が貨幣を受け付けて商品選択部で商品が選択されるまではサニテーション指令手段による指令を無効とし、貨幣処理部が貨幣を受け付けて商品選択部で商品が選択されることによりサニテーション指令手段による指令を有効とするので、購入者によってのみサニテーション処理を実施させることが可能で、いたずらによるサニテーション処理の実施が確実に防止される。
【００２０】
請求項７記載の自動販売機は、請求項２または３記載の自動販売機において、販売機本体に投入される貨幣を受け入れて処理するとともに投入貨幣の返却を可能とする貨幣処理部と、投入貨幣の返却を指令する返却指令手段と、前記貨幣処理部が貨幣を受け付けるまではサニテーション指令手段による指令を無効とし、前記貨幣処理部が貨幣を受け付けることによりサニテーション指令手段による指令を有効とし、このサニテーション指令手段による指令によりサニテーション手段でサニテーション処理を実施させるとともに前記返却指令手段による投入貨幣の返却指令を無効とする制御部とを具備しているものである。
【００２１】
そして、貨幣処理部が貨幣を受け付けるまではサニテーション指令手段による指令を無効とし、貨幣処理部が貨幣を受け付けることによりサニテーション指令手段による指令を有効とし、このサニテーション指令手段による指令後には返却指令手段による投入貨幣の返却指令を無効とするので、購入者によってのみサニテーション処理を実施させることが可能で、いたずらによるサニテーション処理の実施が確実に防止される。
【００２２】
請求項８記載の自動販売機は、請求項５ないし７いずれか記載の自動販売機において、カップ内に飲料を調合して提供する飲料調合手段を具備し、制御部は、サニテーション指令手段による指令に応じて前記飲料調合手段による調合開始前にサニテーション手段でサニテーション処理を実施させるものである。
【００２３】
そして、サニテーション指令手段による指令に応じて飲料調合手段による調合開始前にサニテーション処理を実施させるので、飲料の調合開始直前に衛生確保可能となる。
【発明の効果】
【００２４】
請求項１記載の自動販売機によれば、販売機本体の前面に設けたサニテーション履歴表示部で、サニテーション処理を実施した日時を表示するので、購入者はサニテーション処理の実施状況を把握でき、購入者に清潔感を与えることができる。
【００２５】
請求項２記載の自動販売機によれば、販売機本体の前面に設けたサニテーション指令手段で、購入者の希望でサニテーション処理の実施を指令することができるので、サニテーション処理の実施によって商品購入直前に衛生が確保されるとともに購入者に清潔感を与えることができる。
【００２６】
請求項３記載の自動販売機によれば、販売機本体の前面に設けたサニテーション履歴表示部で、サニテーション処理を実施した日時を表示するので、購入者はサニテーション処理の実施状況を把握でき、購入者に清潔感を与えることができる。また、販売機本体の前面に設けたサニテーション指令手段で、購入者の希望でサニテーション処理の実施を指令することができるので、サニテーション処理の実施によって商品購入直前に衛生が確保されるとともに購入者に清潔感を与えることができる。
【００２７】
請求項４記載の自動販売機によれば、請求項１または３記載の自動販売機の効果に加えて、サニテーション履歴表示部で、過去複数回分のサニテーション処理を実施した日時を表示するので、購入者はサニテーション処理の実施間隔なども把握できる。
【００２８】
請求項５記載の自動販売機によれば、請求項２または３記載の自動販売機の効果に加えて、貨幣処理部が貨幣を受け付けるまではサニテーション指令手段による指令を無効とし、貨幣処理部が貨幣を受け付けることによりサニテーション指令手段による指令を有効とするので、購入者によってのみサニテーション処理を実施させることができ、いたずらによるサニテーション処理の実施を防止できる。
【００２９】
請求項６記載の自動販売機によれば、請求項２または３記載の自動販売機の効果に加えて、貨幣処理部が貨幣を受け付けて商品選択部で商品が選択されるまではサニテーション指令手段による指令を無効とし、貨幣処理部が貨幣を受け付けて商品選択部で商品が選択されることによりサニテーション指令手段による指令を有効とするので、購入者によってのみサニテーション処理を実施させることができ、いたずらによるサニテーション処理の実施を確実に防止できる。
【００３０】
請求項７記載の自動販売機によれば、請求項２または３記載の自動販売機の効果に加えて、貨幣処理部が貨幣を受け付けるまではサニテーション指令手段による指令を無効とし、貨幣処理部が貨幣を受け付けることによりサニテーション指令手段による指令を有効とし、このサニテーション指令手段による指令後には返却指令手段による投入貨幣の返却指令を無効とするので、購入者によってのみサニテーション処理を実施させることができ、いたずらによるサニテーション処理の実施を確実に防止できる。
【００３１】
請求項８記載の自動販売機によれば、請求項５ないし７いずれか記載の自動販売機の効果に加えて、サニテーション指令手段による指令に応じて飲料調合手段による調合開始前にサニテーション処理を実施させるので、飲料の調合開始直前に衛生確保できる。
【発明を実施するための最良の形態】
【００３２】
以下、本発明の一実施の形態を図面を参照して説明する。
【００３３】
図２に、自動販売機としてのカップ式飲料自動販売機の正面図を示す。
【００３４】
このカップ式飲料自動販売機は、本体部11およびこの本体部11の前面に開閉可能に設けられた扉体12を有する販売機本体13を有し、この販売機本体13の前面つまり扉体12の前面に、購入者が操作する操作パネル14が設けられている。
【００３５】
この操作パネル14には、商品種類を表示する商品表示部15、商品を選択する選択ボタンを有する商品選択部16、硬貨や紙幣などの貨幣を投入する貨幣投入口17a、投入貨幣の返却を指令する返却レバーを有する返却指令手段17b、過去複数回分のサニテーション処理を実施した日時を表示するサニテーション履歴表示部18、サニテーション処理の実施を指令する例えばボタンなどのサニテーション指令手段19、商品である飲料の入ったカップを取り出す販売口20、硬貨の釣銭などを払い出す返却口21などが設けられている。
【００３６】
図１に、カップ式飲料自動販売機のブロック図を示す。
【００３７】
扉体12の裏面には貨幣投入口17から投入される貨幣を受け入れて処理する貨幣処理部24が設けられている。
【００３８】
販売機本体13の内部には、カップ内に例えば飲料原料と湯または冷水などとを入れて飲料を攪拌調合する飲料調合手段25、サニテーション処理を実施するサニテーション手段26などが配設されている。
【００３９】
サニテーション手段26では、例えば、カップ内の飲料を攪拌する攪拌具や、飲料を調合するカップステーションなどのサニテーション対象に対し、湯や蒸気などを供給して洗浄したり、アルコールなどを噴霧したり、紫外線を照射するといったサニテーション処理を実施する。
【００４０】
自動販売機を制御する制御部27は時計機能を有するとともに記憶部28を有し、この記憶部28には、過去複数回分のサニテーション手段26によってサニテーション処理を実施した日時が記憶される。
【００４１】
そして、制御部27は、所定のタイミングでサニテーション指令手段19による指令を受け付けてサニテーション手段26でサニテーション処理を実施させる機能、サニテーション指令手段19による指令に応じて飲料調合手段25による調合開始前にサニテーション手段26でサニテーション処理を実施させる機能などを有している。
【００４２】
サニテーション指令手段19による指令を受け付ける所定のタイミングは、例えば次の３パターンから任意に設定可能とする。
【００４３】
貨幣処理部24が貨幣を受け付けるまではサニテーション指令手段19による指令を無効とし、貨幣処理部24が貨幣を受け付けることによりサニテーション指令手段19による指令を有効とする第１のパターン。
【００４４】
貨幣処理部24が貨幣を受け付けて商品選択部16で商品が選択されるまではサニテーション指令手段19による指令を無効とし、貨幣処理部24が貨幣を受け付けて商品選択部16で商品が選択されることによりサニテーション指令手段19による指令を有効とする第２のパターン。
【００４５】
貨幣処理部24が貨幣を受け付けるまではサニテーション指令手段19による指令を無効とし、貨幣処理部24が貨幣を受け付けることによりサニテーション指令手段19による指令を有効とし、かつこのサニテーション指令手段19による指令後は返却指令手段17bによる投入貨幣の返却指令を無効とする第３のパターン。
【００４６】
また、サニテーション処理は、制御部27の制御より予め設定された動作時間や動作回数などに応じて定期的に実施する場合、自動販売機の扉体を開けて係員が係員操作部のボタンを手動で押すことによって実施する場合、自動販売機の扉体を開けた際に自動的に実施する場合も含む。
【００４７】
次に、カップ式飲料自動販売機の商品販売動作を図３のフローチャートを参照して説明する。ここでは、貨幣処理部24が貨幣を受け付けるまではサニテーション指令手段19による指令を無効とし、貨幣処理部24が貨幣を受け付けることによりサニテーション指令手段19による指令を有効とする第１のパターンが設定されているものとする。
【００４８】
サニテーション履歴表示部18では、過去複数回分のサニテーション処理を実施した日時を表示する。そのため、購入者はサニテーション処理の実施状況および実施間隔を容易に把握でき、購入者に清潔感を与えることができる。
【００４９】
貨幣処理部24に貨幣を受け付けていないときには、サニテーション指令手段19が操作されてもその操作を無効とし、いたずらを防止できる。
【００５０】
そして、購入者が貨幣を投入し（ステップ１）、投入される貨幣を硬貨処理部24で処理して購入可能つまり商品選択可能となることにより、サニテーション指令手段19および商品選択部16の操作が可能となる。
【００５１】
購入者がまずサニテーション指令手段19を操作することにより（ステップ２）、サニテーション手段26によってサニテーション処理を実施する（ステップ３）。サニテーション指令手段19の操作後、商品選択部16を操作することにより（ステップ４）、サニテーション手段26によるサニテーション処理が完了してから、飲料調合手段25によって選択された商品の飲料の調合を開始し（ステップ５）、飲料入りカップを販売機本体13の販売口20に提供する（ステップ６）。このサニテーション処理を実施した日時を記憶部28に記憶する。
【００５２】
一方、購入者がサニテーション指令手段19を操作せずに商品選択部16を操作することにより、飲料調合手段25によって選択された商品の飲料を調合し、飲料入りカップを販売機本体13の販売口20に提供する。
【００５３】
商品選択部16を操作した時点で以降のサニテーション指令手段19の操作を無効とする。
【００５４】
このように、販売機本体の前面に設けたサニテーション指令手段19で、購入者の希望でサニテーション処理の実施を指令することができるので、サニテーション処理の実施によって飲料調合手段25による調合開始直前に衛生が確保されるとともに購入者に清潔感を与えることができる。
【００５５】
また、貨幣処理部24が貨幣を受け付けるまではサニテーション指令手段19による指令を無効とするので、購入者によってのみサニテーション処理を実施させることができ、いたずらによるサニテーション処理の実施を防止できる。
【００５６】
また、サニテーション指令手段19による指令を受け付ける所定のタイミングとして第２のパターンを設定した場合には、貨幣処理部24が貨幣を受け付けて商品選択部16で商品が選択されるまではサニテーション指令手段19による指令を無効とし、貨幣処理部24が貨幣を受け付けて商品選択部16で商品が選択されることによりサニテーション指令手段19による指令を有効とし、商品選択後は返却指令手段17bによる投入貨幣の返却指令が無効となるので、購入者によってのみサニテーション処理を実施させることができ、いたずらによるサニテーション処理の実施を確実に防止できる。
【００５７】
また、サニテーション指令手段19による指令を受け付ける所定のタイミングとして第３のパターンを設定した場合には、貨幣処理部24が貨幣を受け付けるまではサニテーション指令手段19による指令を無効とし、貨幣処理部24が貨幣を受け付けることによりサニテーション指令手段19による指令を有効とし、かつこのサニテーション指令手段19による指令後は返却指令手段17bによる投入貨幣の返却指令を無効とするので、必ず商品を選択して購入することになり、購入者によってのみサニテーション処理を実施させることができ、いたずらによるサニテーション処理の実施を確実に防止できる。
【００５８】
なお、自動販売機としては、カップ式飲料自動販売機に限らず、缶飲料などの他の商品を販売する自動販売機にも適用できる。
【図面の簡単な説明】
【００５９】
【図１】本発明の自動販売機の一実施の形態を示すカップ式飲料自動販売機のブロック図である。
【図２】同上カップ式飲料自動販売機の正面図である。
【図３】同上カップ式飲料自動販売機の動作のフローチャートである。
【符号の説明】
【００６０】
13    販売機本体
16    商品選択部
17b   返却指令手段
18    サニテーション履歴表示部
19    サニテーション指令手段
24    貨幣処理部
25    飲料調合手段
26    サニテーション手段
27    制御部
28    記憶部
【図１】
2006018342.tif 000003
【図２】
2006018342.tif 000004
【図３】
2006018342.tif 000005